(57)【特許請求の範囲】
【請求項１】
一対の上部及び下部支持部材と、それら一対の上部及び下部支持部材間に張架された多数のワイヤと、上記各支持部材の両端にそれぞれ設けられ且つ上下方向に伸縮可能な一対の取り付け部材とを備え、上記一対の取り付け部材が、上下方向に伸縮されて構造物に堅固に固定される得る防鳥ネットであって、
上記各取り付け部材を、上記一対の上部及び下部支持部材の端部にそれぞれ固着された上部及び下部継ぎ手と、それら上部及び下部継ぎ手間に介在された中空のパイプと、上端にパッドを備え且つ外周に雄ネジを刻設した上方のネジ棒と、下端にパッドを備え且つ外周に雄ネジを刻設した下方のネジ棒とから構成し、
上記上部継ぎ手を、上下一対のナットにより狭持した状態で、上記上方のネジ棒に固定すると共に、上記下部継ぎ手を、上下一対のナットにより狭持した状態で、上記下方のネジ棒に固定し、
上記上方のネジ棒の下端を、上記パイプの上端より中空孔内に挿抜自在に挿入して上記上部継ぎ手を当該パイプの上端に係止させると共に、上記下方のネジ棒の所定個所に長さ調節用のナットを螺入し、当該下方のねじ棒の上端を、上記パイプの下端よりその中空孔内へ挿抜自在に挿入して、上記長さ調整用のナットを当該パイプの下端に係止させた、
ことを特徴とする防鳥ネット。
【発明の詳細な説明】
【０００１】
【発明の属する技術分野】
この発明は、マンションのベランダ等に設置して鳩やカラス等の鳥の侵入を防止する防鳥ネットに関するものである。
【０００２】
【従来の技術】
近年、鳩やカラス等の鳥が爆発的に増殖し、鳩等の糞による汚染、腐食、寄生虫の発生等の被害が全国的に社会問題となっている。これを防止するため、鳥の侵入しそうなところに、ネットを張ったり、針状のプロテクターを取り付けたり、粘着性の忌避剤を塗布したりする等、様々な方法が従来より用いられている。
【０００３】
このような鳥害防止方法の一例として、図７に示すような防鳥ネットが知られている。この従来の防鳥ネットは、等間隔に形成されたボルト穴１０１ａ、１０３ａを有する上下一対の支持部材１０１、１０３と、それら支持部材１０１、１０３間に張架された多数のワイヤ１０５とで構成されている。そして、防鳥ネットを、マンションのベランダ等に設置する際には、複数のボルト１０７を、上方及び下方の支持部材１０１、１０３のボルト穴１０１ａ、１０３ａに挿通して、ボルト１０７を電動式のボルト締め機等でベランダの天井部１０９や床部１１１に螺着することにより、支持部材１０１、１０３を固定していた。
【０００４】
【発明が解決しようとする課題】
このように構成された従来の防鳥ネットでは、その取り付けのために、設置場所の構造物の天井部１０９や床部１１１に、電動式のボルト締め機等によりボルト１０７を打ち込んで螺着するので、ボルト穴１１３が天井部１０９や床部１１１等の躯体部に開き、設置場所の構造物を傷付けてしまう。
【０００５】
賃貸マンションやアパート等の借家は勿論、分譲マンション等においても、ベランダは全ての所有者の共有物となっており、ベランダの天井部や床部に所有者が独断で穴を開けて傷を付けることはできない。したがって、上述の従来の防鳥ネットをこのようなマンションなどに設置することは不可能であり、結局、一戸建の持家等、住人が占有することができる構造物にしか適用できず、汎用性に乏しいものであった。
また、従来の防鳥ネットでは、ボルト１０７を構造物に打ち込んで、支持部材１０１、１０３を固定するという作業を強いるので、取付作業が面倒であり、作業に時間が掛かって作業効率が悪かった。
さらに、防鳥ネットの取り外しも面倒である上、取り外し後に、構造部にボルト１０７の取り付け孔等が残り、美観を損なう等の問題点もあった。
【０００６】
この発明は上述した課題を解決するためになされたもので、取り付け場所の構造物に傷を付けることなく簡単に取り付けることができ、また取り付け取り外しが簡単で、施工コストを低減できると同時に、施工時間をも短縮できる防鳥ネットを提供することを目的とするものである。
【０００７】
【課題を解決するための手段】
上記課題を解決するために、請求項１の発明に係る防鳥ネットは、一対の上部及び下部支持部材と、それら一対の上部及び下部支持部材間に張架された多数のワイヤと、各支持部材の両端にそれぞれ設けられ且つ上下方向に伸縮可能な一対の取り付け部材とを備え、一対の取り付け部材が、上下方向に伸縮されて構造物に堅固に固定される得る防鳥ネットであって、各取り付け部材を、一対の上部及び下部支持部材の端部にそれぞれ固着された上部及び下部継ぎ手と、それら上部及び下部継ぎ手間に介在された中空のパイプと、上端にパッドを備え且つ外周に雄ネジを刻設した上方のネジ棒と、下端にパッドを備え且つ外周に雄ネジを刻設した下方のネジ棒とから構成し、上部継ぎ手を、上下一対のナットにより狭持した状態で、上方のネジ棒に固定すると共に、下部継ぎ手を、上下一対のナットにより狭持した状態で、下方のネジ棒に固定し、上方のネジ棒の下端を、パイプの上端より中空孔内に挿抜自在に挿入して上部継ぎ手を当該パイプの状態に係止させると共に、下方のネジ棒の所定個所に長さ調節用のナットを螺入し、当該下方のねじ棒の上端を、パイプの下端よりその中空孔内へ挿抜自在に挿入して、長さ調整用のナットを当該パイプの下端に係止させたものである。
【００１２】
【発明の実施の形態】
以下、添付図面を参照して本発明の実施の形態について説明する。
【００１３】
（実施の形態１）
図１乃至図６は、本発明の実施の形態１に係る防鳥ネットを示すもので、図１はその正面図、図２はその背面図、図３はその背面より見た分解斜視図、図４はその組立状態を示す部分斜視図、図５は防鳥ネットをマンションのベランダに装着した状態を示す正面図、図６は支持部材の断面図である。
【００１４】
この実施の形態１による防鳥ネットは、図１及び図２に示すように、一対の上部及び下部支持部材１，３と、これら支持部材１，３間に張架される多数のワイヤ５と、これら支持部材１，３を、マンションのベランダ等の構造物の天井部と床部との間に取り付けるための左右一対の取り付け部材７，９とで構成されている。
【００１５】
上部及び下部支持部材１，３は、図２及び図３に示すように、同一形状を呈し、断面コ字状の長尺の鋼材やステンレス材より形成されている。そして、各支持部材１，３の両端付近の前面部には、後述するボルト１１の挿通孔１３が穿設されている。
また、上部支持部材１の底面部には、ワイヤ５を挿通させるための挿通孔１ａが所定間隔（例えば３ｃｍ間隔）で穿設され、下部支持部材３の上面部には、その長手手方向に沿って、上部支持部材１の挿通孔１ａと略同一間隔でボルト孔３ａが形成されている。
【００１６】
このような上部及び下部支持部材１，３に張架されるワイヤ５は、適当な引っ張り強度を有するナイロン製の釣り糸やピアノ線などで形成されている。このワイヤ５は、上端が、ストッパ５ａにより上部支持部材１の底面部に連結されると共に、下端が、下部支持部材３の上面部のボルト孔３ａに螺合されナット１５ｂで固定されたボルト１５の止め輪１５ａに連結された状態で、上部及び下部支持部材１，３に張架されている。
【００１７】
一方、取り付け部材７（９）は、図３及び図４に示すように、上部及び下部支持部材１，３の両端にボルト１１等により固着された上下一対の継ぎ手１９，２１と、それら継ぎ手間に介在された中空の金属製のパイプ２３と、一端にパッド２５を備え、外周に雄ネジを刻設した上下一対のネジ棒２７，２９とから構成されている。
【００１８】
具体的には、継ぎ手１９（２１）は、両側にボルトの挿入孔１９ａ（２１ａ）を備えた細長い平板状の取付部１９ｂ（２１ｂ）と、この取り付け部１９ｂ（２１ｂ）の中央部に溶接等により一体的に固着された中空の円筒部１９ｃ（２１ｃ）とで形成されている。
円筒部１９ｃ（２１ｃ）の中空孔１９ｄ（２１ｄ）は、ネジ棒２７（２９）を挿通し得るようになっている。また、平板状の取付部１９ｂ（２１ｂ）は、その一端において上部支持部材１（下部支持部材３）の端部にボルト１１により固着されている。
【００１９】
そして、上方の継ぎ手１９が、上下一対のナット３１，３３により、上方のネジ棒２７に固定され、そのネジ棒２７が、パイプ２３の上端よりその内部の中空孔２３ａ内に挿入されている。
また、下方の継ぎ手２１も、上下一対のナット３５，３７によりネジ棒２９に固定されている。このネジ棒２９の上端は、長さ調節用のナット３９とワッシャ４１とが装着された状態で、パイプ２３の下端からその中空孔２３ａ内に挿入されている。
【００２０】
このように、継ぎ手１９，２１を介してパイプ２３に挿入されたネジ棒２７，２９の各々に取り付けられているパッド２５は、ネジ棒２７の一端に溶接等で固着された金属製の基板２５ａに、ゴム等の弾性材２５ｂを貼り付けた構造になっている。
【００２１】
なお、マンションのベランダ等への装着を想定した場合、例えば、各ネジ棒２７，２９の長さは３０ｃｍ程度、パイプ２３の長さは５０ｃｍ程度に設定される。
【００２２】
ここで、上記構成の防鳥ネットの組立方法の一例について述べておく。この組立は、ワイヤ５が張架された上部及び下部支持部材１，３の両側に取り付け部材７，９を組み付けることにより行う。
具体的には、図３に示すように、位置調節用のナット３７を取り付け部材７（９）の下方のネジ棒２９に装着し、このネジ棒２９を、下部支持部材３に固着された継ぎ手２１の円筒部２１ｃの中空孔２１ｄに挿通させ、このネジ棒２９の上方から固定用のナット３５を填める。そして、下方のナット３７により下部支持部材３の位置を調節し、上方のナット３５により下部支持部材３をネジ棒２９に固定する。しかる後、ネジ棒２９の上端に、長さ調節用のナット３９とワッシャ４１とを填め、この上から、パイプ２３を挿入する。
このようなネジ棒２９とパイプ２３との組付を下部支持部材３の両側について行う。
【００２３】
上記組付状態で、ナット３１を螺合した上方のネジ棒２７の下端を、上部支持部材１に固着された継ぎ手１９の円筒部１９ｃの中空孔１９ｄを挿通させ、このネジ棒２７の下端にナット３３を螺合させる。そして、上方及び下方のナット３１，３３により上方の継ぎ手１９の円筒部１９ｃを挟み付けるようにして、継ぎ手１９をネジ棒２７に固定する。しかる後、ネジ棒２７の先端をパイプ２３の上端よりその中空孔２３ａ内に挿入する。
このようなネジ棒２７の組付を上部支持部材１の両側について行うことで、上部及び下部支持部材１，３への取り付け部材７，９の組付が終了し、防鳥ネットが完成する。
【００２４】
次に、この実施の形態１の防鳥ネットを設置する方法について説明する。
図５は、マンションのベランダに防鳥ネットを設置する場合の説明図である。
【００２５】
図５に示すマンションのベランダの防護柵４５の手摺り４７と天井部４９との間に上記防鳥ネットを取り付ける場合には、先ず、ベランダの防護柵４５の手摺り４７と天井部４９との間の距離を測定し、上部及び下部支持部材１，３間の間隔を定めて、ワイヤ５の長さをその間隔に合わせて調節し、ワイヤ５をこれら支持部材１，３間に取り付ける。なお、このワイヤ５の取り付け及び長さ調節は、後述するように、上部及び下部支持部材１，３を設置、固定してから行っても良い。
【００２６】
次いで、上部及び下部支持部材１，３の両端に、４つの継ぎ手１９，２１の平板部１９ｂ，２１ｂをそれぞれボルト締めして固着し、その円筒部１９ｃ，２１ｃにネジ棒２７，２９を挿通して、上下一対のナット３１，３３，３５，３７により挟み付けて、各ネジ棒２７，２９に各継ぎ手１９，２１の円筒部１９ｃ，２１ｃ（図４参照）を固定する。
【００２７】
そして、継ぎ手１９，２１を介して下部支持部材３を支持した下方のネジ棒２９のパッド２５をベランダの防護柵４５の手摺り４７に載せて、このネジ棒２９の上端に、ナット３９とワッシャ４１を填めてからパイプ２３を装着する。
しかる後、パイプ２３の上端に、継ぎ手１９を介して上部支持部材１を支持した上方のネジ棒２７の下端を挿入する。
次いで、長さ調節用のナット３９を回転して、パイプ２３を下方のネジ棒２９に対して上方へ伸張させ、上方のネジ棒２７の上端のパッド２５をベランダの天井部４９に当接させて、上方及び下方のパッド２５，２５に適度の押圧力が加わるようにする。このようにして、防鳥ネットを簡単容易且つ短時間で効率よくベランダに設置することができる。
【００２８】
上述のように設置した防鳥ネットを取り外す場合には、長さ調節用のナット３９を伸長時とは逆方向に回転させて、このナット３９をパイプ２３と共にネジ棒２９に対して下方へ移動させ、上下のパッド２５間の間隔を縮める。これにより、防鳥ネットを極めて簡単に取り外すことができる。この場合、元の取り付け場所には、従来例のようにボルト孔等の傷跡が残ることはなく、したがって、そこの外観を損なうこともない。
【００２９】
以上は、防護柵４５の縦桟５１の間隔が十分に狭く、鳩やカラスが防護柵４５から侵入することができない場合である。
これに対して、縦桟５１の間隔が広く、鳩やカラスが防護柵４５の間から侵入することができる場合には、防鳥ネットをベランダの床部５３から天井部４９までの全体に渡って設置すればよい。この場合には、下方のパッド２５をベランダの床部５３に載置するとともに、中間のパイプ２３の長さを、床部５３から天井部４９までの間隔に合わせて長くしたものを用いる以外は、上記した防護柵４５の手摺り４７上に載置する場合と略同様である。
【００３０】
また、ベランダの横の長さが長いものについては、複数の防鳥ネットのユニットを横に連結して用いる。この場合には、各継ぎ手１９，２１を介して、隣り合う各ユニットの支持部材１，３を図示しないボルトにより連結する。
【００３１】
なお、図６に示すように、断面コ字状のステンレス製の支持部材１，３を用いる場合に、その肉厚Ｔが３ｍｍで、前面部の高さＨが６ｃｍとすると、ワイヤ５の張力の関係から、支持部材１，３の長さは１．５ｍ程度が限度であるため、ベランダの間口の長さが５〜６ｍ位の場合には、通常、４個程度のユニットを用意するが、多数のワイヤ５の張力に十分耐え得るように、支持部材１，３の肉厚を大きくして強度を高めれば、支持部材１個の長さを５〜６ｍにすることも十分に可能であり、このようにすれば、１個のユニットで対応することができる。
【００４２】
【発明の効果】
以上詳しく説明したように、本発明の防鳥ネットによれば、一対の上部及び下部支持部材と、それら一対の上部及び下部支持部材間に張架された多数のワイヤと、各支持部材の両端に設けられ、上下方向に伸縮可能な取り付け部材とを備え、取り付け部材は、上下方向に伸縮されて構造物に堅固に固定される得るように構成されるので、取り付け部材を上下方向に伸長させることにより、取り付け場所の構造物に傷を付けることなく防鳥ネットを取り付けることができる。
また、上方のネジ棒の下端を、パイプの上端より中空孔内に挿抜自在に挿入して上部継ぎ手を当該パイプの上端に係止させると共に、下方のネジ棒の所定個所に長さ調節用のナットを螺入し、当該下方のねじ棒の上端を、パイプの下端よりその中空孔内へ挿抜自在に挿入して、長さ調整用のナットを当該パイプの下端に係止させた状態で、長さ調整用のナットを下方のネジに沿って昇降させるだけで、防鳥ネットを簡単且つ容易に取り付け及び取り外しすることができ、この結果、施工コストを低減できると同時に、施工時間をも短縮できるというという優れた効果がある。
【図面の簡単な説明】
【図１】本発明の実施の形態１による防鳥ネットの正面図である。
【図２】その背面図である。
【図３】その背面より見た分解斜視図である。
【図４】その組立状態を示す部分斜視図である。
【図５】本発明の実施の形態１による防鳥ネットをマンションのベランダに装着した状態を示す正面図である。
【図６】本発明の実施の形態１における支持部材の断面図である。
【図７】    従来の防鳥ネットを示す斜視図である。
【符号の説明】
１…上部支持部材、 ３…下部支持部材、 ５…ワイヤ、 ７，９…取り付け部材、 １９，２１…継ぎ手、２３…パイプ、 ２３ａ…パイプの中空孔、 ２５…パッド、 ２７…上方のネジ棒、２９…下方のネジ棒、 ３１，３３，３５，３７…ナット、 ３９…長さ調節用のナット。
【図１】
0003710223.tif 000002
【図２】
0003710223.tif 000003
【図３】
0003710223.tif 000004
【図４】
0003710223.tif 000005
【図５】
0003710223.tif 000006
【図６】
0003710223.tif 000007
【図７】
0003710223.tif 000008